(57)【特許請求の範囲】
【請求項１】
室外機と前記室外機に接続される室内機とから構成され、前記室外機に設けられた圧縮機と四方弁と室外熱交換器と膨張弁と、前記室内機に設けられた室内熱交換器を順次接続して冷凍サイクルを構成し、前記室内熱交換器の配管途中に除湿弁を設け、前記除湿弁を膨張機構として動作させる除湿運転機能を備え、前記室内熱交換器の乾燥運転は送風運転と除湿運転と暖房運転を組み合わせて行う空気調和機であって、前記室内熱交換器の前記除湿運転時に、前記室内熱交換器の温度を凝縮器温度として出力する凝縮器温度検出手段を備え、前記凝縮器温度検出手段の出力値と、目標凝縮器温度値とを比較し、前記出力値が前記目標凝縮器温度値になるように前記室外機内に設けた室外送風機の回転数を制御するものであり、前記出力値が前記目標凝縮器温度値よりも大きくなった場合に、前記室外送風機は停止状態となるように割付られ、停止状態が予め定めた停止制限時間続いた場合は、前記室外送風機は強制的に運転を開始し、この間に前記出力値が前記目標凝縮器温度値よりも大きくなった場合でも、予め定めた停止禁止時間は、前記室外送風機の停止を禁止し運転を維持することを特徴とする空気調和機。
【発明の詳細な説明】
【技術分野】
【０００１】
本発明は、空気調和機に関するもので、特に、室内機に内蔵された室内熱交換器の乾燥運転を行い、カビや細菌の繁殖を抑制する機能を備えた空気調和機に関するものである。
【背景技術】
【０００２】
従来のこの種の空気調和機においては、室内機内部の室内熱交換器やその近傍にカビや細菌が繁殖するのを抑制するために、冷房運転あるいは除湿運転後に、運転時間に応じて送風運転、除湿運転、暖房運転を組み合わせて乾燥運転することにより、乾燥時間の短縮、効率向上による省エネ化、快適性の向上を図るようにした空気調和機が提案されている（例えば、特許文献１参照）。
【特許文献１】特開２００１−４１５４２号公報
【発明の開示】
【発明が解決しようとする課題】
【０００３】
しかしながら、上記従来の空気調和機の構成では、除湿運転時に室内熱交換器の凝縮器部分を乾燥させるためには、室内凝縮器温度を高温（たとえば３５℃以上）に保たなければならないが、そのためには、室外熱交換器の凝縮能力を、室外送風機の回転数を変更、または停止して調整することが必要であるが、室外送風機を停止した場合に、圧縮機や室内送風機の駆動効率が低い場合には、室外機に内蔵された制御装置の温度が上昇するという課題を有していた。
【０００４】
本発明は、上記従来の課題を解決するもので、制御装置の温度上昇を抑制しながら、室内熱交換器の乾燥を行うことができる空気調和機を提供することを目的としている。
【課題を解決するための手段】
【０００５】
上記従来の課題を解決するために、本発明の空気調和機は、室外機と前記室外機に接続される室内機とから構成され、前記室外機に設けられた圧縮機と四方弁と室外熱交換器と膨張弁と、前記室内機に設けられた室内熱交換器を順次接続して冷凍サイクルを構成し、前記室内熱交換器の配管途中に除湿弁を設け、前記除湿弁を膨張機構として動作させる除湿運転機能を備え、前記室内熱交換器の乾燥運転は送風運転と除湿運転と暖房運転を組み合わせて行う空気調和機であって、前記室内熱交換器の前記除湿運転時に、前記室内熱交換器の温度を凝縮器温度として出力する凝縮器温度検出手段を備え、前記凝縮器温度検出手段の出力値と、目標凝縮器温度値とを比較し、前記出力値が前記目標凝縮器温度値になるように前記室外機内に設けた室外送風機の回転数を制御するものであり、前記出力値が前記目標凝縮器温度値よりも大きくなった場合に、前記室外送風機は停止状態となるよう
に割付られ、停止状態が予め定めた停止制限時間続いた場合は、前記室外送風機は強制的に運転を開始し、この間に前記出力値が前記目標凝縮器温度値よりも大きくなった場合でも、予め定めた停止禁止時間は、前記室外送風機の停止を禁止し運転を維持するもので、圧縮機や室内送風機の駆動効率が低い場合にも、室内凝縮温度を高温に保ちながら、制御装置の温度上昇を抑制することができる。
【発明の効果】
【０００６】
本発明の空気調和機は、圧縮機や室内送風機の駆動効率が低い場合にも、室内凝縮器温度を高温に保ちながら、制御装置の温度上昇を抑制することができる。
【発明を実施するための最良の形態】
【０００７】
第１の発明は、室外機と前記室外機に接続される室内機とから構成され、前記室外機に設けられた圧縮機と四方弁と室外熱交換器と膨張弁と、前記室内機に設けられた室内熱交換器を順次接続して冷凍サイクルを構成し、前記室内熱交換器の配管途中に除湿弁を設け、前記除湿弁を膨張機構として動作させる除湿運転機能を備え、前記室内熱交換器の乾燥運転は送風運転と除湿運転と暖房運転を組み合わせて行う空気調和機であって、前記室内熱交換器の前記除湿運転時に、前記室内熱交換器の温度を凝縮器温度として出力する凝縮器温度検出手段を備え、前記凝縮器温度検出手段の出力値と、目標凝縮器温度値とを比較し、前記出力値が前記目標凝縮器温度値になるように前記室外機内に設けた室外送風機の回転数を制御するものであり、前記出力値が前記目標凝縮器温度値よりも大きくなった場合に、前記室外送風機は停止状態となるように割付られ、停止状態が予め定めた停止制限時間続いた場合は、前記室外送風機は強制的に運転を開始し、この間に前記出力値が前記目標凝縮器温度値よりも大きくなった場合でも、予め定めた停止禁止時間は、前記室外送風機の停止を禁止し運転を維持するもので、圧縮機や室内送風機の駆動効率が低い場合にも、室内凝縮温度を高温に保ちながら、制御装置の温度上昇を抑制することができる。
【０００８】
以下、本発明の実施の形態について、図面を参照しながら説明する。なお、この実施の形態によって本発明が限定されるものではない。
【０００９】
（実施の形態１）
以下、本発明の第１の実施の形態における空気調和機について、図１〜４を用いて説明する。
【００１０】
図１は、本実施の形態における空気調和機の冷凍サイクルを示しており、室外機２に設けられた圧縮機６、四方弁８、室外熱交換器１０、膨張弁１２と、室内機４に設けられた室内熱交換器１４を、順次冷媒配管７で接続してヒートポンプ式の冷凍サイクルを構成し、室内熱交換器１４の配管途中に除湿弁１３を設けている。
【００１１】
また、室内送風機１６は、室内熱交換器１４に室内空気を送風し、室外送風機１８は、室外熱交換器１０に室外空気を送風し、室温センサ２０は、室温を検出し、室内熱交換器１４の配管温度センサ２２は、室内熱交換器１４の除湿運転時の室内凝縮器温度を検出し、制御装置２４は冷凍サイクルの制御を行うものである。
【００１２】
ここで、乾燥運転は、空気調和機の冷房運転あるいは除湿運転によって結露等が生じた室内熱交換器１４より水分を取り除いて乾燥させるとともに、温度を上げてカビ菌の活動を抑制するために送風運転、除湿運転、暖房運転を組み合わせて行うものである。
【００１３】
図２は、室内熱交換器の乾燥運転を行う場合のタイミングチャートを示している。
【００１４】
図２に示されるように、室内熱交換器１４の乾燥運転を行う場合、時間ｔ１において、圧縮機６及び室外送風機１８を停止して、冷房あるいは除湿運転を停止する。また、時間ｔ１までの運転モードやリモコン（図示せず）の設定風量に応じて回転速度が決定されていた室内送風機１６は、第１の速度（例えば、約９００ｒｐｍ）に設定され、１回目の送風運転を行う。このとき、膨張弁１２は、冷房あるいは除湿運転時の圧縮機周波数に対応して決定される目標吐出温度になるように開度制御が行われており（吐出温制御）、四方弁８はＯＦＦで冷房運転時の冷凍サイクルが維持されている。
【００１５】
図２のタイミングチャートに戻って、室内熱交換器１４の乾燥運転をさらに説明すると、時間ｔ１から時間ｔ２まで（例えば、約３分）は、送風運転を行い、時間ｔ２において、圧縮機６は周波数を抑えた第１の運転周波数（例えば、約１６Ｈｚ）で運転を再開するとともに、室外送風機１８は、室内凝縮器温度が目標凝縮器温度Ｔａ（例えば、３９℃）になるよう回転数制御が行われ（凝縮器温度制御）、除湿運転を行う。
【００１６】
除湿運転中、膨張弁１２は、最大パルス（例えば、約４８０パルス）に設定されて全開し、除湿弁１３が、膨張機構として動作する。室内送風機１６は、第１の速度より低い第２の速度（例えば、約５００ｒｐｍ）で運転を行う。
【００１７】
所定時間（例えば、約５５分）の除湿運転終了後、時間ｔ３において、２回目の送風運転に入り、圧縮機６及び室外送風機１８が停止するとともに、室内送風機１６は、第２の速度から第１の速度に変更される。なお、膨張弁１２のパルス数は最大パルスに引き続き維持されている。
【００１８】
時間ｔ３から所定時間（例えば、約３分）経過後の時間ｔ４において、四方弁８を切り替えて暖房運転に入り、室内熱交換器１４を乾燥させて、冷房あるいは除湿運転中に生じた水分を塵埃とともに除去する。暖房運転中は、圧縮機６は、第１の運転周波数より高い第２の運転周波数（例えば、約３０Ｈｚ）に維持され、室外送風機１８は、除湿運転時と同じ速度で運転される。また、膨張弁１２は、最大パルスより少ない所定のパルス（例えば、約４００パルス）に設定され、室内送風機１６は、再び第２の速度に設定される。
【００１９】
所定時間（例えば、約３０分）の暖房運転終了後、時間ｔ５において、四方弁８をＯＦＦにして冷房運転時の冷凍サイクルに戻し、圧縮機６及び室外送風機１８を停止するとともに、室内送風機１６を第２の速度から第１の速度に変更して３回目の送風運転を行う。このとき、膨張弁１２のパルス数は前記所定のパルスより最大パルスに再設定される。
【００２０】
３回目の送風運転を所定時間（例えば、約３分）行った後、室内熱交換器１４の乾燥運転を行う前の状態（冷房あるいは除湿運転）に戻る（図３は、停止する場合を示している）。
【００２１】
ここで、室内熱交換器１４の乾燥運転中、除湿運転と暖房運転の前後に合計３回の送風運転を行っているが、これは圧縮機６の吸入圧力と吐出圧力との圧力差が大きいと起動に失敗する可能性があり、吸入圧力と吐出圧力を均一化するためである（圧縮機６の起動保護）。
【００２２】
図３は、制御装置２４のブロック図の一例を示しており、乾燥運転時の除湿運転中における室外送風機１８を制御するものである。
【００２３】
図３のブロック図において、室外送風機制御手段３２は、配管温度センサ２２の出力が入力される凝縮器温度検出手段３０の出力値Ｔｔが所定の目標凝縮器温度Ｔａになるよう室外送風機１８の回転数を制御する。２５は、室外送風機１８の運転が停止している時間（停止時間）を計時する計時手段である。
【００２４】
図４は、乾燥運転時の除湿運転中における室外送風機１８の制御フローチャートを示している。表１は、室外送風機１８の回転数タップと回転数の割付表を示している。
【００２５】
【表１】
0005071063.tif 000002
【００２６】
図４のフローチャートにおいて、乾燥運転時の除湿運転が開始されると、室外送風機１８は、所定の回転数タップ（例えば、タップ４）で運転する（ステップＳ１）。
【００２７】
所定時間（例えば、約１分）毎に、配管温度センサ２２の出力が入力される凝縮器温度検出手段３０の出力値Ｔｔと、目標凝縮器温度Ｔａを比較し（ステップＳ３）、Ｔａ＋ΔＴ＜Ｔｔであれば回転数タップを上げ（ステップＳ４）、Ｔａ−ΔＴ＞Ｔｔであれば（ステップＳ５）、回転数タップがタップ０でなければ回転数タップを１タップ下げる（ステップＳ６）。
【００２８】
Ｔａ＋ΔＴ≧Ｔｔ≧Ｔａ−ΔＴの場合は、現状の回転数タップを維持する。ここでΔＴは、ΔＴ≧０で、たとえば１℃とする。回転数タップがタップ０の場合は、Ｔａ＋ΔＴ＜Ｔｔの場合もタップ０を維持する。タップ０が停止制限時間Ｔ１（例えば、約１０分）を超えると（ステップＳ１０）、室外送風機１８は、タップ１で運転を再開し（ステップＳ１１）、再開後、停止禁止時間Ｔ２（例えば、約２分）はタップ０を禁止し、タップ１で運転中に、Ｔａ＋ΔＴ＜Ｔｔの場合（ステップＳ１４）でも、タップ１を維持する。ここで室外送風機１８の停止中に上昇した制御装置２４の温度は、停止禁止時間Ｔ２の間に冷却されることとなる。
【００２９】
以上のように、本実施の形態によれば、室内熱交換器１４の乾燥運転における除湿運転時に、室外送風機１８の停止制限時間と停止禁止時間を設け、室外送風機１８の停止状態が、前記停止制限時間に達した場合、室外送風機１８の運転を再開し、停止禁止時間が経過するまで、室外送風機１８の停止を禁止することにより、圧縮機６や室内送風機１６の駆動効率が低い場合にも、室内凝縮温度を高温に保ちながら、制御装置２４の温度の上昇を抑制することができる。
【産業上の利用可能性】
【００３０】
本発明に係る空気調和機は、室内熱交換器の乾燥運転における除湿運転時に室外送風機の停止制限時間と停止禁止時間を設け、室外送風機の停止状態が停止制限時間に達した場合、室外送風機の運転を再開し、停止禁止時間が経過するまで室外送風機の停止を禁止することで、圧縮機や室内送風機の駆動効率が低い場合にも、室内熱交換器の入り口温度を高温に保ちながら、制御装置の温度上昇を抑制することができるので、家庭用の空気調和機のみならず業務用の空気調和機として有用である。
【図面の簡単な説明】
【００３１】
【図１】本発明の実施の形態１における空気調和機の冷凍サイクルを示す概略図
【図２】同空気調和機の室内熱交換器の乾燥運転を行う場合のタイミングチャート
【図３】同空気調和機の制御装置のブロック図
【図４】同空気調和機の乾燥運転時の除湿運転中における室外送風機の制御のフローチャート
【符号の説明】
【００３２】
２  室外機
４  室内機
６  圧縮機
８  四方弁
１０  室外熱交換器
１２  膨張弁
１３  除湿弁
１４  室内熱交換器
１６  室内送風機
１８  室外送風機
２０  室温センサ
２２  配管温度センサ
２４  制御装置
３０  凝縮温度検出手段
【図１】
0005071063.tif 000003
【図２】
0005071063.tif 000004
【図３】
0005071063.tif 000005
【図４】
0005071063.tif 000006